(57)【要約】【課題】  凹条及び／又は凸条の識別子を有するチャック付き袋において、凹条の溝内に内容物が堆積することを防止する。【解決手段】  凸条を有する面を下側にして内容物を取り出す。凹条側及び／又は凸条側の判別を容易にするために例えば、凹条を有する面5 に該面が凹条であることを示す識別子7が設けられており及び／又は凸条を有する面11に該面が凸条であることを示す識別子15が設けられている。これにより利用者は容易に、いずれの面が凹条側，凸条側であるかを理解することができ、凸条側11を下側に向けた状態で、即ち凹条の溝内に内容物が堆積するのを防止しつつ、内容物を揺すり出す等により取り出すことができる。【選択図】      図1
2009137651.tif 000002
【特許請求の範囲】
【請求項１】
凸条側の面を下側にして内容物を取り出すことを特徴とする、凹条及び凸条を有するチャック付き袋。
【請求項２】
凹条側に凹条側であることを示す識別子及び／又は凸条側に凸条側であることを示す識別子が設けられていることを特徴とする、凹条及び凸条を有するチャック付き袋。
【請求項３】
上記凹条側であることを示す識別子は上記凹条を有する面の外表面に印刷された凹側であることを示す記号、図形又は言葉であり及び／又は上記凸条側であることを示す識別子は上記凸条を有する面の外表面に印刷された凸側であることを示す記号、図形又は言葉であることを特徴とする請求項2に記載の凹条及び凸条を有するチャック付き袋。
【請求項４】
上記凹条側であることを示す識別子は凹条及び凸条自体の透明も含めた色違いにより構成されていることを特徴とする請求項2に記載の凹条及び凸条を有するチャック付き袋。
【請求項５】
上記凹条側であることを示す識別子は上記凹条を有する側に貼られた凹側であることを示す記号、図形又は言葉を有するラベルであり及び／又は上記凸条側であることを示す識別子は上記凸条を有する側に貼られた凸側であることを示す記号、図形又は言葉を有するラベルであることを特徴とする請求項2に記載の凹条及び凸条を有するチャック付き袋。
【請求項６】
凹条及び凸条を有するチャック付き袋に用いられる、凹側であることを示す記号、図形又は言葉を有するラベル及び／又は凸側であることを示す記号、図形又は言葉を有するラベル。
【請求項７】
上記凹条側であることを示す識別子は上記凹条を有する側に貼られた凹側であることを示すタブからなる形状であることを特徴とする請求項2に記載の凹条及び凸条を有するチャック付き袋。
【請求項８】
凹条及び凸条を有するチャック付き袋に用いられる、凹側に貼られる凹側であることを示すタブ。
【発明の詳細な説明】
【技術分野】
【０００１】
本発明は、凹条及び凸条を有するチャック付き袋に関する。
【背景技術】
【０００２】
凹条及び／又は凸条の識別子を有するチャック付き袋は、凹条及び凸条を互いに開けて、その内容物を必要なだけ取出した後、再び凹条及び凸条を互いに閉じることができ、これにより、内容物の紛失を防止しまた内容物の湿りを防止する等の効果があるので、便利であり、近年多用されている。
【０００３】
しかしながら、その内容物が小径物，粉体等の場合には、これが凹条内に入り込んでしまい、これにより凹条及び凸条の嵌合が不十分となり、不意にこれらが開いたり、又は袋内部に湿気等が侵入してしまうという問題がある。また内容物が食品の場合には、これが凹条内に入り込むので、不衛生が生じるという問題がある。
【０００４】
そこでこれを解決すべく、粉体等の内容物を包む一対のフイルム1を介して凹条及び凸条を互いに閉じ、内容物を直接に凹条及び凸条には接触させない方法が提案されている（特許文献1参照）。
【０００５】
【特許文献１】特開2006-044786号公報
【発明の開示】
【発明が解決しようとする課題】
【０００６】
しかしながらこの方法では、一対のフイルム1を介して凹条及び凸条を互いに閉じるものであるので、凹条及び凸条による開口部の閉じが甘くなり、十分に行われないという問題がある。特にフイルム1に皺がよっている場合には凹条及び凸条による開口部の閉じが十分に行われない。また構造が複雑になるという問題がある。
【０００７】
そこで本発明の目的は、簡単な方法及び手段により十分に凹条に小径物等が入り込むことを防止可能な、凹条及び凸条を有するチャック付き袋の内容物の取り出し方法、及び手段を提供することにある。
【課題を解決するための手段】
【０００８】
上記目的を達成するために、本発明の凹条及び凸条を有するチャック付き袋の内容物の取り出し方法は、凸条側の面を下側にして内容物を取り出す。
【０００９】
上記目的を達成するために、本発明の凹条及び凸条を有するチャック付き袋は、凹条側に凹条側であることを示す識別子及び／又は凸条側に凸条側であることを示す識別子が設けられている。
【００１０】
凹条側であることを示す識別子は凹条を有する面の外表面に印刷された凹側であることを示す記号、図形又は言葉であり及び／又は凸条側であることを示す識別子は凸条を有する面の外表面に印刷された凸側であることを示す記号、図形又は言葉であることが好ましい。
【００１１】
凹条側であることを示す識別子は凹条及び凸条自体の透明も含めた色違いにより構成されていることが好ましい。
【００１２】
凹条側であることを示す識別子は凹条を有する側に貼られた凹側であることを示す記号、図形又は言葉を有するラベルであり及び／又は凸条側であることを示す識別子は凸条を有する側に貼られた凸側であることを示す記号、図形又は言葉を有するラベルであることが好ましい。
【００１３】
上記目的を達成するために本発明はまた、凹条及び凸条を有するチャック付き袋に用いられる、凹側であることを示す記号、図形又は言葉を有するラベル及び／又は凸側であることを示す記号、図形又は言葉を有するラベルが提供される。
【００１４】
凹条側であることを示す識別子は凹条を有する側に貼られた凹側であることを示すタブからなる形状であることが好ましい。
【００１５】
上記目的を達成するために本発明はまた、凹条及び凸条を有するチャック付き袋に用いられる、凹側に貼られる凹側であることを示すタブが提供される。
【００１６】
その他、課題を解決するための手段は、「課題を解決するための手段」の欄に記載された内容に限定されるものではなく、明細書の全体の記載から解釈されるものである。特に「発明を実施するための最良の形態」の欄に記載された１つ又は複数の実施の形態における、実施の形態を構成する各要素はまた、単独のものとして又はそれが述べられた実施の形態の枠を超えた任意の要素間の組み合わせとして、課題を解決するための手段となり得るものである。
【発明の効果】
【００１７】
本発明の凹条及び凸条を有するチャック付き袋の内容物の取り出し方法は、凸条側の面を下側にして内容物を取り出すので、内容物は凸条の周りに付着し、従って凹条内に入り込むことを防止できる。
【００１８】
本発明の凹条及び凸条を有するチャック付き袋は、凹条側に凹条側であることを示す識別子及び／又は凸条側に凸条側であることを示す識別子が設けられていることにより、使用者は、条を覗き込むことなく、この識別子を見て、いずれが凸条側か及び／又はいずれが凹条側かを直ちに理解して、容易に凸条を有する面が下側、凹条を有する面が上側になるように位置合わせすることができる。
【００１９】
凹条側であることを示す識別子は凹条を有する面の外表面に印刷された凹側であることを示す記号、図形又は言葉であり及び／又は凸条側であることを示す識別子は凸条を有する面の外表面に印刷された凸側であることを示す記号、図形又は言葉であることにより、袋の外面に内容物の表示等の印刷を行う際に印刷することができるので、凹側であることを示す記号、図形又は言葉及び／又は凸側であることを示す記号、図形又は言葉の印刷のコストを抑えることができる。
【００２０】
凹条側であることを示す識別子は凹条及び凸条自体の透明も含めた色違いにより構成されていることにより、視覚的に容易に凹条及び凸条を理解することができる。またこの手段は、透明袋の場合にも適用可能である。
【００２１】
凹条側であることを示す識別子は凹条を有する側に貼られた凹側であることを示す記号、図形又は言葉を有するラベルであり及び／又は凸条側であることを示す識別子は凸条を有する側に貼られた凸側であることを示す記号、図形又は言葉を有するラベルであることにより、製品の製造の後事後的に貼ることができる。
【００２２】
凹条及び凸条を有するチャック付き袋に用いられる、凹側であることを示す記号、図形又は言葉を有するラベル及び／又は凸側であることを示す記号、図形又は言葉を有するラベルが提供されることにより、使用者はこのラベルを入手して自分でチャック付き袋に貼ることができる。
【００２３】
凹条側であることを示す識別子は凹条を有する側に貼られた凹側であることを示すタブからなる形状であることにより、凸条及び凹条を開ける際に、使用者は片手でタブを掴んで引っ張ることにより袋上端部のすき間を広げて手を差し込み易くすると同時に、凸条及び凹条を開いた後、タブが設けられた側を下側にすると内容物がタブに触れて非衛生的であるので、直ちに直観的にタブが設けられていない側が凸側と理解して、タブが設けられていない側を下側にして内容物を振り出すことができる。
【００２４】
凹条及び凸条を有するチャック付き袋に用いられる、凹側に貼られる凹側であることを示すタブが提供されることにより、使用者はこのタブを入手して自分でチャック付き袋の凹側に貼ることができる。
【図面の簡単な説明】
【００２５】
【図１】本発明の第1の実施の形態を示す説明図であり、同図(a)は凹条側の外表面図，同図(b)は凹条の断面図，同図(c)は凸条側の外表面図，同図(d)は凸条の断面図である。
【図２】本発明の第2の実施の形態を示す説明図であり、同図(a)は凹条を有する面に付される識別子，同図(b)は凸条を有する面に付される識別子である。
【図３】本発明の第3の実施の形態を示す説明図であり、同図(a)は凹条を有する面に付される識別子，同図(b)は凸条を有する面に付される識別子である。
【図４】本発明の第4の実施の形態を示す説明図であり、同図(a)は凹条を有する面に付される識別子，同図(b)は凸条を有する面に付される識別子である。
【図５】本発明の第8の実施の形態を示す説明図であり、同図(a)は凸条を示すラベルの平面図、同図(b)は凹条を示すラベルの平面図、同図(c)はタブの平面図である。
【図６】本発明の第9の実施の形態を示す説明図であり、同図(a)はタブが貼られたチャック付き袋の側面図、同図(b)はタブが貼られたチャック付き袋の凹条側正面図である。
【発明を実施するための最良の形態】
【００２６】
本発明の第1の実施の形態を図1に基づいて説明する。
同図において、本発明の袋1 は、開口部内面側に同図(b)に示す断面形状の凹条部2（凹条溝3）及び同図(ｄ)に示す断面形状の凸条部9からなるチャックを有している。そして、凹条部2が設けられた側の外表面5の、凹条部2の長手方向中央位置に概略位置する位置に、凹記号7が印刷により施され、また凸条部9が設けられた側の外表面11の、凸条部9の長手方向中央位置に概略位置する位置に、凸記号15が印刷により施されている（なお、凹記号7及び凸記号15は例えば条方向に複数個配置されていてもよい（図示省略））。そして、それぞれの面には、「（こちら側は凹条側ですので、こちらの面を上側に向けて内容物を取り出して下さい）」という文章16，「（こちら側は凸条側ですので、こちらの面を下側に向けて内容物を取り出して下さい）」という文章17が印刷により記されている。袋1内には例えば「すりごま」、「ふりかけ」等が入っている。
【００２７】
このように構成されており、使用者は製品購入時の上端シール部18 をまず切り取る。そして、使用に際して、表面の凹記号7及び凸記号15を見ながら、また文章16，文章17を読みながら、直ちに凸条側11が下側、凹条側5が上側になるように袋1を手に持って、凹条2及び凸条9を互いに開いて、凸条側11が下側、凹条側5が上側の姿勢で袋を揺すって、例えばすりごまをおかずの上に振りかけたり、或いはふりかけをご飯の上にかけたりし、その後使用者は開口部を上方に向け直して、そして凸条側11の凸条9付近に付着した内容物は、指等で凸条面側11の外表面を軽く叩く等により容易に落として、凹条2と凸条9とを再びまた互いに嵌合する。従って内容物を振りかける際、内容物は凹条2に接触することが少なく、また接触しても凹条2の溝3の開口部は下向きであるので、内容物が堆積することは殆どなく、凹条溝3を清潔に保つことができる。また凹条溝3に内容物が堆積していないので、凹条2と凸条9との嵌合が正しく行われ、湿気の侵入も阻止され、内容物の湿りをより防止することができる。
【００２８】
次に本発明の第2の実施の形態を図2に基づいて説明する。
本実施の形態は、凹条側5の外表面に2本の線からなる記号21を付し、凸条側11の外表面に1本の線からなる記号23を付したものである。
【００２９】
次に本発明の第3の実施の形態を図3に基づいて説明する。
本実施の形態は、凹条側5 の外表面に上向きの矢線31を付し、凸条側11の外表面に下向きの矢線33を付したものである。これにより利用者は内容物を取り出そうとした時に、凸条側11を上側にすると下向き矢印が現れるので、内容物を出そうとするのに内容物を入れるという意味かと奇妙に思い、裏返すと上向き矢印31即ち開口部に向かった矢印が現れるので、この裏返した姿勢が正しい姿勢と理解し、この姿勢で利用者は袋を傾けて内容物を取り出す。
【００３０】
次に本発明の第4の実施の形態を図4に基づいて説明する。
本実施の形態は、凹条側5の外表面に「チャック凹条側」という言葉41を付し、凸条側11の外表面に「チャック凸条側」という言葉43を付したものである。これにより利用者は言葉により直接いずれの面が凹条側，凸条側であるかを理解することができる。
【００３１】
次に本発明の第5の実施の形態を説明する。
本実施の形態は透明袋（図示省略）に適用され、凹条が赤色に着色され凸条は透明に形成されている（図示省略）。凹条及び凸条が嵌合された状態で、凸条側を外方から見ると、淡い赤色の2 本の線の間に明確な透明線が一本走っているのでこちら側が凸条側と分かり、また凹条側を外方から見ると、明確な赤色の2本の線の間に淡い透明線が一本走っているのでこちら側が凸条側と分かる。またこれで分かりにくい場合には凸条と凹条とを開いて見てどちらが凹条かを確認する。従って袋の外側から或いは凸条と凹条とを開いた後、赤色条側を見極めて、赤色条側を上側になるようにして、内容物を取り出すことが出来る。内容物が付着し易い凸条側の凸条を透明にしているので、内容物が凸条に付着した場合においてもそのことがより容易に分かり、また内容物が付着し易い凸条側により清潔感を与えることができる。なお、条が袋の基となるプラスチックシートの形成と同時に形成される場合には、凹条部のみを赤色に着色したプラスチックで形成することができる。なお、最初のうちは、説明書等で、「凹条が赤色に着色され凸条は透明に形成されているので、透明条側を下側にして使用してください。」等の注意を促すようにし、利用者にこのことが浸透すれば、着色を見ただけで透明袋の正しい姿勢を理解可能になる。
【００３２】
ところで、特開平9-165051号公報には、凹部と凸部との何れか一方に着色部を設けるとし、登録実用新案第3026478号公報には、嵌合チャック雄部のみを着色すると記載されているが、これらは何れも嵌合が確実に行われているかを目視するのが目的である。しかしながら上記第5の実施の形態では、この嵌合が確実に行われているかの確認をも同時に行うことができるものである。
【００３３】
次に本発明の第6の実施の形態を説明する。
商品を収納した袋の外表面が印刷されている等により、条部を外側から見ることができない場合においても、第5の実施の形態と同様にして、例えば、凹条が赤色に着色され凸条は透明に形成されていると、使用者は条を開いて各条の色を見て、凹条側を上側、凸条側を下側にすることができる（図示省略）。
【００３４】
次に本発明の第7の実施の形態を説明する。
商品を収納した袋は通常、商品名及び商品のデザイン等が施された表側及び商品の成分表等が記載された裏側が存在する。そこで凸条は常に表側裏面に設け、凹条は裏側裏面に設けるようにし、かつ凸条は透明に形成し、凹条は赤色に着色して形成する（図示省略）。これにより、使用者は、商品の表側，裏側を判断して、凸条のある側及び凹条のある側を予断しつつ袋を持ち、条を開けて再確認して、直ちに凸条が下側になる位置関係で商品を取り出すことができる。
【００３５】
上記第1乃至4の実施の形態と第6又は7の実施の形態とはまた同時に実施することも可能である。これにより使用者は複数の識別子を得て、より楽に凹条及び凸条の区別を行うことができる。
【００３６】
なお第1乃至4の実施の形態において、凹条を有する面及び凸条を有する面の双方に識別子を設ける必要はなく、何れか一方に設けるのみであってもよい。
【００３７】
また第5乃至7の実施の形態において、凹条を赤色以外の色で着色してもよく、また凹条側を透明に形成してもよく、更にはまた凸条及び凹条の何れも透明以外の色で着色してもよい。なお、いずれを用いるにしても、業界で各条に用いる色を統一して決めておくことにより、利用者にもこのことが次第に浸透して、条の色を見ただけでどちらの条であるかを理解することが可能になる。
【００３８】
次に本発明の第8の実施の形態を図5に基づいて説明する。
凸条及び／又は凹条側であることを示す識別子は同図(a),(b)に示すように、それを示す記号が印刷されたラベルであってもよく、それをそれぞれの外表面に接着剤、粘着剤等で貼るようにしてもよい（図示省略）。また凸条及び／又は凹条はそれを示す記号が印刷されたラベルに粘着剤を塗りかつその上に剥がし紙を貼っておき、使用者が別途これを入手して、チャック付き袋の所定側に貼るようにしてもよい。なお、同図(a),(b)は凸条断面及び凹条断面を模式的に形取ったラベルとなっているが、その一部に凸条断面及び凹条断面を示す形状を表示したラベルであってもよいことは無論である。なお、ラベルになされる表示は記号の他、言葉であってもよく、条を表す立体図形であってもよく、またこれらの組み合わせであってもよいことは無論である。
【００３９】
次に本発明の第9の実施の形態を図6に基づいて説明する。
同図(a), (b)に示すように、チャック付き袋71の凹条側75には凹条の左右方向中央の位置に対向する外表面に、タブ76が接着剤、粘着剤、熱溶融による接着等により、固定されている。また「タブが設けられている側は凹条側ですので、タブが設けられている側を上側にして使用してください。」等の注意書きが袋又はタブの表面に印刷されている（図示省略）。使用者はこの製品を購入後、切り取り線78に沿って手で又はハサミで上端部を切り取り、次に、一方の手でタブを掴んで凸条側に対して離す側に引っ張るとチャック付き袋71の開口部が開くので、他方の手で凸条側の上端部を容易に掴んで、そこで両手を離す方向に動かして凹条と凸条を引き離すことができる。次にチャック付き袋71を傾けて内容物を取り出そうとする際、上記注意書き及びタブが設けられた側を下側にすると内容物がタブに接触して不衛生に感じることにより、タブ側を上側にして使用する。使用者がタブ側を上側にして使用するようになった後は、上記注意書きは省くことも可能である。なお、タブは図5(c)に示すように、下方部に粘着剤を塗りかつその上に剥がし紙82を貼ったものが単品81として提供されていてもよく、使用者が別途これを入手して、チャック付き袋の凹条側に貼るようにしてもよい。
【００４０】
ところで、特開2005-247417号公報には、波形のタグシートを本体袋シートの内側に固定することが提案されており、また同公報の図面上、タグシートは凹条側シートの内面に固定されている。しかし同公報ではタグシートを凹条側に固定する理由は何も述べてなく、従って図面の作成上偶然に凹条側内面に固定したものと解される。ところで同公報の方法では、上端部の切り取りをハサミで行うことができず手で、波形のタグシートを切り取らないように、行うしかないが、上記第9の実施の形態では、上端部の切り取りにおいて、手及びハサミの双方を使うことが可能である。
【００４１】
無論、特開2005-247417号公報のように、波形のタグシートを凹条側内面と凹条チャックシールとの間に挟んで固定し、使用者は手で袋の上端部を手で切り取った後、タグシートを目印にして、タグシートが設けられていない側を下側にして内容物を振り出す等してもよく、これも本発明のタブに含まれるものである。ところで、波形のタグシートを凹条側内面と凹条チャックシールとの間に挟むのではなく、凹条チャックシール自体の上端に波形形状を延設して一体に設けておき、かつ上記延設箇所の部分は凹条側内面との融着を行わないようにしてもよい（図示省略）。これにより、タグシートを別部品として設ける必要がない。
【００４２】
凹条であることを示す識別子及び凸条であることを示す識別子はその他、凹，凸の形状の型の刻印により形成してもよく、この場合には、刻印の高さ又は深さが大きい場合には、触ることによっても、いずれの面が凹条側，凸条側であるかを理解することができる。また、印刷による識別子とあわせて、凹，凸を意味する点字を刻印するようにしてもよい。
【００４３】
本発明は、開口部に互いに着脱自在の凹条及び凸条を備えてなる、種々のチャック付き袋に適用されるものである。
【産業上の利用可能性】
【００４４】
本発明は、開口部に互いに着脱自在の凹条及び凸条を備えてなる袋及び、ラベル及びタブを製造する際に使用するので、産業上の利用可能性を有するものである。
【図１】
2009137651.tif 000003
【図２】
2009137651.tif 000004
【図３】
2009137651.tif 000005
【図４】
2009137651.tif 000006
【図５】
2009137651.tif 000007
【図６】
2009137651.tif 000008